(57)【要約】【課題】液晶分子の応答時間を減少するパネルを提供する。【解決手段】パネルが本発明において開示される。パネルは、少なくとも１つの液晶層と、少なくとも１つの第一電極層と、少なくとも１つの第二電極層と、少なくとも２つの制御電極とを含む。液晶層は、複数の液晶分子を含む。第一電極層は、液晶層に対して第一方向に配置される。第一電極層は、複数のエッチング構造と、複数の導電構造とを含む。第二電極層も、液晶層に対して第一方向に配置される。２つの制御電極は、液晶層に対して第二方向に配置される。２つの制御電極は、複数の液晶分子の動作を制御するよう、第二方向に沿って実質的に分布する電界を生成するために利用される。【選択図】図１Ａ
2010271719.tif 000002
【特許請求の範囲】
【請求項１】
複数の液晶分子を含む、少なくとも１つの液晶層と、
該少なくとも１つの液晶層に対して第一方向に配置され、且つ、複数のエッチング構造及び複数の導電構造を含む、少なくとも１つの第一電極層と、
前記少なくとも１つの液晶層に対して前記第一方向に配置される、少なくとも１つの第二電極層と、
前記少なくとも１つの液晶層に対して第二方向に配置される、少なくとも２つの制御電極とを含み、
該少なくとも２つの制御電極は、前記複数の液晶分子の動作を制御するために前記第二方向に沿って実質的に分布する電界を生成するよう構成される、
パネル。
【請求項２】
前記少なくとも２つの制御電極の電源がオンにされるとき、前記第一電極層及び前記第二電極層の電源がオフにされる、請求項１に記載のパネル。
【請求項３】
前記少なくとも２つの制御電極の電源がオンにされるとき、前記第二方向に沿う電界が生成され、前記複数の液晶分子は、前記電界の前記第二方向に沿って配置される、請求項１に記載のパネル。
【請求項４】
前記第一電極層及び前記第二電極層の電源がオンにされるとき、前記第一方向に沿う他の電界が生成され、前記複数の液晶分子は、前記他の電界の前記第一方向に沿って配置される、請求項１に記載のパネル。
【請求項５】
電圧が前記第一電極層及び前記第二電極層に印可されるとき、前記第一電極層の前記エッチング構造と前記第二電極層との間の前記少なくとも１つの液晶層の領域が、勾配屈折率効果をもたらす、請求項１に記載のパネル。
【請求項６】
前記第一方向の角度と前記第二方向の角度は、０〜３６０度の間の任意の所定角度である、請求項１に記載のパネル。
【請求項７】
前記第一方向の前記角度及び前記第二方向の前記角度は異なる、請求項６に記載のパネル。
【請求項８】
前記少なくとも２つの制御電極は、前記少なくとも１つの液晶層の内側の２つの両側にそれぞれ配置される、請求項１に記載のパネル。
【請求項９】
前記パネルは、三次元パネル、二次元パネル、又は、液晶レンズに適用可能である、請求項１に記載のパネル。
【請求項１０】
前記２つの制御電極は、前記第二電極層を分割することによって形成される、請求項１に記載のパネル。
【請求項１１】
複数の液晶分子を含む少なくとも１つの液晶層と、
該少なくとも１つの液晶層の一方の側に配置され、且つ、複数のエッチング構造及び複数の導電構造を含む、少なくとも１つの第一電極層と、
前記少なくとも１つの液晶層の他方の側に配置される、少なくとも１つの第二電極層と、
前記少なくとも１つの液晶層に対応する前記第二電極層の表面に配置される、少なくとも２つの制御電極とを含み、
該少なくとも２つの制御電極は、電界を生成するために電源がオンにされ、前記複数の液晶分子は、前記電界の方向に従って配置される、
パネル。
【請求項１２】
前記少なくとも２つの制御電極によって生成される前記電界の前記方向は、実質的に水平である、請求項１１に記載のパネル。
【請求項１３】
前記少なくとも２つの制御電極の電源がオンにされるとき、前記第一電極層及び前記第二電極層の電源がオフにされる、請求項１１に記載のパネル。
【請求項１４】
前記液晶層の両側に配置される少なくとも一対の配向膜及び／又は少なくとも一対のガラス基板をさらに含む、請求項１１に記載のパネル。
【請求項１５】
前記第一電極層の前記エッチング構造及び前記導電構造は、交互に配置される、請求項１１に記載のパネル。
【請求項１６】
前記エッチング構造は、孔又は溝である、請求項１５に記載のパネル。
【請求項１７】
孔又は溝が、前記導電構造内にさらに配置される、請求項１６に記載のパネル。
【請求項１８】
当該パネルは、三次元パネル、二次元パネル、又は、液晶レンズに適用可能である、請求項１１に記載のパネル。
【請求項１９】
複数の液晶分子を含む、少なくとも１つの液晶層と、
該少なくとも１つの液晶層の一方の側に配置され、且つ、少なくとも１つのエッチング構造及び複数の導電構造を含む、少なくとも１つの第一電極層と、
前記少なくとも１つの液晶層の前記側に対応して前記第一電極層に配置される、少なくとも２つの制御電極と、
前記少なくとも１つの液晶層の他の側に配置される、少なくとも１つの第二電極層とを含み、
電界を生成するために、前記少なくとも２つの制御電極の電源がオンにされ、前記複数の液晶分子は、前記電界の方向に沿って配置される、
パネル。
【請求項２０】
前記電界の前記方向は、実質的に水平である、請求項１９に記載のパネル。
【請求項２１】
前記少なくとも２つの制御電極の電源がオンにされるとき、前記第一電極層及び／又は前記第二電極層の電源がオフにされる、請求項１９に記載のパネル。
【請求項２２】
少なくとも一対の配向膜及び／又は少なくとも一対のガラス基板が、前記液晶層の両側に配置される、請求項１９に記載のパネル。
【請求項２３】
前記第一電極層の前記エッチング構造及び前記導電構造は、交互に配置される、請求項１９に記載のパネル。
【請求項２４】
前記エッチング構造は、孔又は溝である、請求項２３に記載のパネル。
【請求項２５】
孔又は溝が、前記導電構造内にさらに配置される、請求項２４に記載のパネル。
【請求項２６】
前記液晶層内に複数の屈折率を形成するために、前記第一電極層及び前記第二電極層の電源がオンにされる、請求項１９に記載のパネル。
【請求項２７】
当該パネルは、三次元パネル、二次元パネル、又は、液晶レンズに適用可能である、請求項１９に記載のパネル。
【請求項２８】
複数の液晶分子を含む、少なくとも１つの液晶層と、
該少なくとも１つの液晶層に対して垂直方向に配置され、且つ、複数のエッチング構造及び複数の導電構造を含む、少なくとも１つの第一電極層と、
前記少なくとも１つの液晶層に対して前記垂直方向に配置される、少なくとも１つの第二電極層と、
前記少なくとも１つの液晶層に対して水平方向に配置される、少なくとも２つの制御電極とを含み、
前記第一電極層及び前記第二電極層の電源がオンにされるとき、前記複数の液晶分子を前記垂直方向に向かって駆動するよう、前記第一電極層と前記第二電極層との間に垂直電界が生成され、前記少なくとも２つの制御電極の電源がオンにされると、前記複数の液晶分子を前記水平方向に向かって駆動するよう、前記少なくとも２つの制御電極の間に水平電界が生成される、
パネル。
【請求項２９】
前記少なくとも２つの制御電極のインピーダンスは、前記第一電極層及び前記第二電極層のいずれのインピーダンスとも異なる、請求項２８に記載のパネル。
【請求項３０】
当該パネルは、三次元パネル、二次元パネル、又は、液晶レンズに適用可能である、請求項２８に記載のパネル。
【発明の詳細な説明】
【技術分野】
【０００１】
本発明は、パネルに関し、より具体的には、液晶分子の応答時間を減少するためのディスプレパネルに関する。
【背景技術】
【０００２】
一般的に、パネルは、少なくとも１つの液晶層と、一対の配向膜と、一対の電極と、一対のガラス基板とを含む。頂部電極層は、頂部ガラス基板の上に塗装され、配向膜は、電極層の上に蒸着又は印刷され、底部電極層は、配向膜がその上に蒸着された状態で、底部ガラス基板の上に塗装される。液晶層は、複数の液晶分子をその中に備えた状態で、基板の２つの側の間に挟まれる。
【０００３】
パネルが動作されるとき、パネルの駆動回路が頂部電極層及び底部電極層に電圧を印可し、頂部電極層及び底部電極層の電源をオンにし、従って、電界が生成される。次に、液晶層内の液晶分子が回転し、電界の方向と平行に整列する。パネル内の駆動回路の印可電圧が、頂部電極層及び底部電極層から除去されるとき、頂部電極層と底部電極層との間の電界が消失し、液晶分子は回転して元の位置に戻る。この方法によって、表示のために液晶分子を通過する光ビームを制御し得る。
【０００４】
しかしながら、電界が消失するとき、液晶分子の回復速度は十分に速くない。これは遅い応答時間及び不十分な表示品質のような問題を引き起こす。
【発明の概要】
【発明が解決しようとする課題】
【０００５】
従って、本発明の目的の１つは、液晶分子の応答時間を減少するためのパネルを提供することである。
【課題を解決するための手段】
【０００６】
本発明の好適実施態様によれば、パネルが提供される。パネルは、少なくとも１つの液晶層と、少なくとも１つの第一電極層と、少なくとも１つの第二電極層と、少なくとも２つの制御電極とを含む。液晶層は、複数の液晶分子も含む。第一電極層は、液晶層に対して第一方向に配置され、第一電極層は、複数のエッチング構造と複数の導電構造とを含む。第二電極層は、液晶層に対して第一方向に配置される。２つの制御電極は、液晶層に対して第二方向に配置され、２つの制御電極は、複数の液晶分子の動作を制御するために、第二方向に沿って実質的に分布する電界を生成するよう構成される。
【０００７】
本発明の好適実施態様によれば、パネルが提供される。パネルは、少なくとも１つの液晶層と、少なくとも１つの第一電極層と、少なくとも１つの第二電極層とを含む。液晶層は、複数の液晶分子を含む。第一電極層は、液晶層の一方の側に配置され、第一電極層は、複数のエッチング構造と複数の導電構造とを含む。第二電極層は、液晶層の他の側に配置され、少なくとも２つの制御電極が、液晶層に対応する第二電極層の表面に配置される。制御電極に電力供給することによって電界が生成され、液晶分子は電界の方向に従って配置される。
【０００８】
本発明の他の好適実施態様によれば、パネルが提供される。パネルは、少なくとも１つの液晶層と、少なくとも１つの第一電極層と、少なくとも１つの第二電極層と、少なくとも２つの制御電極とを含む。液晶層は、複数の液晶分子を含む。第一電極層は、液晶層の一方の側に配置され、第一電極層は、少なくとも１つのエッチング構造と、複数の導電構造とを含む。２つの制御電極は、液晶層の前記側に対応して第一電極層に配置される。第二電極層は、液晶層の他の側に配置される。制御電極に電力供給することによって電界が生成され、液晶分子は電界の方向に従って配置される。
【０００９】
本発明の各実施態様では、第一電極層及び第二電極層の電源がオフにされるとき、少なくとも２つの制御電極の電源がオンにされ、第二電界を生成する。従って、液晶分子を元の位置に積極的に強制的に戻し得るし、液晶分子の応答時間及び表示品質を向上し得る。
【００１０】
本発明のこれらの及び他の目的は、様々な図面及び図に例証される好適実施態様の以下の詳細な記載を判読した後、疑いの余地なく当業者に明らかになるであろう。
【図面の簡単な説明】
【００１１】
【図１Ａ】本発明の好適実施態様に従ったパネルを示す概略図である。
【図１Ｂ】図１Ａ中のパネルの動作状態を示す概略図である。
【図１Ｃ】図１Ａ中のパネルの他の動作状態を示す概略図である。
【図２Ａ】本発明の他の好適実施態様に従ったパネルを示す概略図である。
【図２Ｂ】図２Ａ中のパネルを示す平面図である。
【図３】本発明の更に他の好適実施態様に従ったパネルを示す概略図である。
【図４】本発明の更に他の好適実施態様を従ったパネルを示す概略図である。
【図５】本発明の好適実施態様に従った１つよりも多くの液晶層を備えるパネルを示す概略図である。
【図６】本発明の他の好適実施態様に従った１つよりも多くの液晶層を備えるパネルを示す概略図である。
【発明を実施するための形態】
【００１２】
付属の図面を用いて本発明の好適実施態様の速い応答時間を備えるパネルを詳細に例証する。パネルは、三次元パネル、二次元パネル、又は、液晶レンズに適用可能であり得ることが付記されなければならない。
【００１３】
図１Ａは、本発明の好適実施態様に従ったパネル１００を例証する概略図である。パネル１００は、少なくとも１つの液晶層１０１と、少なくとも１つの第一電極層１０２ａと、少なくとも１つの第二電極層１０２ｂと、少なくとも２つの制御電極Ｘ１及びＸ２とを含む。液晶層１０１は、複数の液晶分子Ｌを含む。第一電極層１０２ａは、液晶層１０１に対して第一方向に配置され（例えば、液晶層１０１の一方の側の上に配置され）、第一電極層１０２ａは、複数のエッチング構造Ｅｎと、複数の導電構造Ｏｄとを含む。エッチング構造Ｅｎは、孔（ホール）又は溝（トレンチ）であり得る。また、孔又は溝は、さらに、導電構造Ｏｄ内に配置され得る。記載を簡略化するために、エッチング構造Ｅｎのみが図面中に描写されていることが付記されなければならない。設計者は単一のエッチング構造Ｅｎを異なる仕様に従っても実現し得る。第二電極層１０２ｂも液晶層１０１に対して第一方向に配置され（例えば、液晶層１０１の反対の側の上に配置され）、２つの制御電極Ｘ１，Ｘ２は、液晶層１０１に対して第二方向に配置される。１つの好適実施態様では、２つの制御電極Ｘ１，Ｘ２は、図１Ａに示されるように、液晶層１０１に対応する第二電極層１０２ｂの表面の上に配置され得る。
【００１４】
本発明の好適実施態様のパネル１００において、第一電極層１０２ａのエッチング構造Ｅｎ及び導電構造Ｏｄは、液晶層１０１内に異なる媒体を形成するよう、他の層と協働して動作される。従って、パネル１００は、異なる媒体に対応する複数の屈折率を有し、従って、それは三次元ディスプレイ効果を実現する。例えば、第一電極層１０２ａ及び第二電極層１０２ｂの電源がオンされるとき、第一電極層１０２ａのエッチング構造Ｅｎと第二電極層１０２ｂとの間の液晶層１０１の領域は、第一屈折率を有し、第一電極層１０２ａの導電構造Ｏｄと第二電極層１０２ｂとの間の液晶層１０１の領域は、第二屈折率を有する。パネルの三次元動作及び構造は、我々の会社、Ｔｕｎａｂｌｅ  Ｏｐｔｉｘ  Ｃｏｒｐｐｏｒａｔｉｏｎによって出願された他の特許出願、台湾特許出願第０９７１４６７０７号も参照し得る。本発明の内容に焦点を合わせるため、詳細な記載は重複して与えられない。
【００１５】
本好適実施態様では、一対のガラス基板１０３ａ及び１０３ｂが、液晶層１０１の両側の上に配置されることが付記されなければならない。他の好適実施態様では、設計者の裁量に基づき、少なくとも一対の配向膜（ラビング膜とも呼ばれる）（図示せず）、少なくとも一対の電極層（図示せず）、又は、現存し或いは将来提案される他の構成素子を、液晶層１０１の両側の上にさらに配置し得る。さらに、前述の構成素子の一部のみ又は全部を液晶層１０１の両側の上に配置し得る。各構成素子の場所は、設計者の裁量に基づき選択され得る。関連する設置方法及び技術は当業者によって理解されるはずであり、重複して記載されない。
【００１６】
本発明の好適実施態様に従った速い応答時間を備えるパネル１００の動作方法及び原理を例証する図１Ａ、１Ｂ、及び、１Ｃを参照されたい。パネル１００の電極層又は電極の電源がオフされるとき、液晶分子Ｌの配置は不規則であることが付記されなければならない。しかしながら、例証の便宜のために、液晶層１０１の液晶分子Ｌは、規則的な方法で描写されている。
【００１７】
先ず、パネル１００が動作されると、パネル１００の内部回路（図示せず）は、第一電極層１０２ａ及び第二電極層１０２ｂに所定電圧を印可することによって、第一電極層１０２ａ及び第二電極層１０２ｂを駆動する。従って、第一電極層１０２ａ及び第二電極層１０２ｂの電源がオンにされ、第一方向に所定強度を備える第一電界が、第一電極層１０２ａと第二電極層１０２ｂとの間に生成される。次に、液晶層１０１内の液晶分子Ｌは、（実質的に垂直方向のような）第一電界の第一方向に配置されるよう回転し、図１Ｂに示されるような直立状態を示す。このとき、光ビームの屈折方向は、液晶分子Ｌの回転によって変更される。例えば、光ビームはパネル１００を通過し、鑑賞者の両眼に到達し得る。
【００１８】
液晶分子Ｌの位置（又は回転角度）が回復されることが必要とされるとき、第一電極層１０２ａと第二電極層１０２ｂとの間の電圧差が、パネル１００の内部回路によって消され（即ち、第一電極層１０２ａ及び／又は第二電極層１０２ｂの電源がオフにされ）、２つの制御電極Ｘ１，Ｘ２に所定電圧を印可することによって、第二電極層１０２ｂの表面の上の２つの制御電極Ｘ１，Ｘ２が駆動される。従って、第二方向に所定強度を備える第二電界が、制御電極Ｘ１と制御電極Ｘ２との間に生成される。次に、液晶層１０１内の液晶分子Ｌは、（実質的に水平方向のような）第二電界の第二方向に配置されるよう回転し、図１Ｃ中に例証されるような横臥状態（平坦状態とも呼ぶ）を示す。このときに、光ビームの屈折方向は、液晶分子Ｌの回転（分配）によって変更され得る。例えば、パネルは、通常は白色のパネル、又は、通常は黒色のパネルであり得る。
【００１９】
本発明の好適実施態様のパネル１００では、第一電極層１０２ａ及び第二電極層１０２ｂの電源がオフにされると、２つの制御電極Ｘ１，Ｘ２は、第二電界を生成するために追加的に利用され、それは液晶分子Ｌを前述の第二方向に積極的に強制的に戻す。結果的に、パネル１００内の液晶分子Ｌの応答時間を減少し得るし、パネル１００の表示品質を向上し得る。従って、従来技術の問題点を解消し得る。
【００２０】
制御電極Ｘ１，Ｘ２と第二電極層１０２ｂとの間には、誘電体層（図示せず）がある。制御電極Ｘ１，Ｘ２及び第二電極層１０２ｂは、独立的に且つ別個に制御される（図示せず）。
【００２１】
図２Ａは、本発明の他の好適実施態様に従ったパネル２００を例証する概略図である。パネル２００は、少なくとも１つの液晶層１０１と、少なくとも１つの第一電極層１０２ａと、少なくとも１つの第二電極層１０２ｂと、少なくとも２つの制御電極Ｘ１，Ｘ２とを含む。パネル２００の構造及び動作方法は、パネル１００の構造及び動作方法と実質的に同じである。パネル２００とパネル１００との間の相違は、パネル２００の制御電極Ｘ１，Ｘ２が、液晶層１０１の側に対応する第一電極層１０２ａの上に配置される、即ち、制御電極Ｘ１，Ｘ２及び第一電極層１０２ａが同じ側にあり、薄い誘電体層（図示せず）によって分離されていることである。パネル２００が動作されると、パネル２００の内部回路（図示せず）は、第一電極層１０２ａの導電構造Ｏｄ及び第二電極層１０２ｂに電圧を印可し、よって、第一方向に所定強度を備える第一電界が、第一電極層１０２ａと第二電極層１０２ｂとの間に生成される。例えば、第一方向は、実質的に垂直な方向であり、液晶分子Ｌは、図面中に示されるような直立状態にある。液晶分子Ｌが元の位置に戻されるべきとき、第一電極層１０２ａの導電構造Ｏｄと第二電極層１０２ｂとの間の電圧差がパネル２００の内部回路（図示せず）によって除去される。また、電圧差が２つの制御電極Ｘ１，Ｘ２の間に印可され、第二方向に所定強度を備える第二電界を生成する。例えば、第二方向は、実質的に水平な方向であり、液晶分子Ｌは、図面中に示されるような横臥状態（平坦状態とも呼ぶ）にある。
【００２２】
この方法によって、パネル２００内の液晶分子Ｌの応答時間を減少し得るし、パネル２００の表示品質を向上し得るので、従来技術の問題点も解消し得る。加えて、本発明のこの実施態様の構造の故に、加工プロセスにおいて必要とされるマスクの数も減少し得る。従って、生産性を向上し得るし、製造費用も減少し得る。図２Ｂは、図２Ａ中のパネル２００の平面図であり、図２Ａは、線Ａ−Ａ’に沿って取られた図２Ｂの断面図である。制御電極Ｘ１，Ｘ２、導電構造Ｏｄ、及び、エッチング構造Ｅｎの構造は、図２Ｂに示されるように明瞭に理解され得る。
【００２３】
図３は、本発明の更に他の好適実施態様に従ったパネル３００を例証する概略図である。パネル３００は、少なくとも１つの液晶層１０１と、少なくとも１つの第一電極層１０２ａと、少なくとも１つの第二電極層１０２ｂと、少なくとも２つの制御電極Ｘ１，Ｘ２とを含む。パネル３００の構造及び動作方法は、パネル１００の構造及び動作方法と実質的に同じである。パネル３００とパネル１００との間の相違は、パネル３００の制御電極Ｘ１，Ｘ２が第二電極層１０２ｂを分割することによって形成されることである。パネル３００が動作されるとき、パネル３００の内部回路（図示せず）は、第一電極層１０２ａの導電構造Ｏｄ及び第二電極層１０２ｂの一部に電圧を印可し、第二電極層１０２ｂの一部は、制御電極Ｘ１，Ｘ２を含まない。従って、第一方向に所定強度を備える第一電界が生成される。例えば、第一方向は、実質的に垂直な方向であり、液晶分子Ｌは、図面中に示されるような直立状態にある。液晶分子Ｌが元の位置に戻されるべきとき、第一電極層１０２ａの導電構造Ｏｄ及び第二電極層１０２ｂの一部は、パネル３００の内部回路（図示せず）によって電源がオフにされる。また、２つの制御電極Ｘ１，Ｘ２の電源がオンにされ、第二方向に所定強度を備える第二電界を生成する。例えば、第二方向は、実質的に水平な方向であり、液晶分子Ｌは、図面中に示されるような横臥／平坦状態にある。
【００２４】
如何なる種類の方法によっても本発明を実施し得る。液晶分子Ｌを元の位置に強制的に戻すために他の方向の電界を使用する如何なる制御方法も、本発明の精神及び範囲内にある。図４に示されるように、パネル４００は、少なくとも１つの液晶層１０１と、少なくとも１つの第一電極層１０２ａと、少なくとも１つの第二電極層１０２ｂと、少なくとも２つの制御電極Ｘ１，Ｘ２とを含む。パネル４００の構造及び動作方法は、パネル１００の構造及び動作方法と実質的に同じである。パネル４００とパネル１００との間の相違は、パネル４００の制御電極Ｘ１，Ｘ２が、液晶層１０１の内側で２つの両側の上に配置されることである。当業者は、前述の記載に従った動作方法を理解するはずであり、反復的な記載は重複して与えられない。
【００２５】
加えて、本発明のパネルは、１つよりも多くの液晶層を含み得る。本発明の好適実施態様に従った１つよりも多くの液晶層を備えるパネルを例証する図５を参照されたい。図５に示されるように、パネル５００は、２つの液晶層１０１及び１０４を含む。液晶層１０１は、２つのガラス基板１０３ａ及び１０３ｂの間に挟まれており、液晶層１０４は、２つのガラス基板１０３ｂ及び１０３ｃの間に挟まれている。この実施態様では、パネル５００は、さらに、少なくとも１つの第一電極層１０２ａと、少なくとも１つの第二電極層１０２ｂと、少なくとも１つの第三電極層１０３と、少なくとも２つの制御電極Ｘ１，Ｘ２とを含む。液晶層１０１内の液晶分子Ｌを制御するために、第一電極層１０２ａと第二電極層１０２ｂとの間の電圧差によって、実質的に垂直方向の電界を生成し得るし、液晶層１０４内の液晶分子Ｌを制御するために、第二電極層１０２ｂと第三電極層１０２ｃとの間の電圧差によって、実質的に垂直方向の他の電界を生成し得る。
【００２６】
電極層は、ガラス基板１０３ａ，１０３ｂ，１０３ｃの何れの側にあってもよいが、配向膜（図示せず）は、液晶層１０１及び１０４に隣接し且つ液晶層１０１及び１０４と接触しなければならない（よって、この実施態様では、４つの配向膜がある）。また、各電極層は、パターン（例えば、エッチング構造Ｅｎ及び導電構造Ｏｄ）を備えてもよいし、パターンを備えなくてもよい。さらに、エッチング構造Ｅｎ及び導電構造Ｏｄは、ガラス基板１０３ａ，１０３ｂ，１０３ｃの何れの側にあってもよい。ガラス基板のあらゆる側が電極層を必ずしも必要とするわけではない。その場合には、水平電界（電極層によって生成される電界を指す）を生成する制御電極Ｘ１，Ｘ２は、ガラス基板の何れの側に配置されてもよく、垂直な電界を生成する電極層と必ずしも共存しない。
【００２７】
その上、本発明の制御電極の場所は、前述の実施態様に限定されない。本発明の他の好適実施態様に従った１つよりも多くの液晶層を備えるパネルを例証する図６を参照されたい。図５に示されるパネル５００と比較して、図６に示されるパネル６００は、さらに、少なくとも２つの制御電極Ｘ３，Ｘ４を含む。結果的に、液晶層１０１内の液晶分子Ｌは、制御電極Ｘ１，Ｘ２によって制御され得るし、液晶層１０４内の液晶分子Ｌは、制御電極Ｘ３，Ｘ４によって制御され得る。この実施態様では、制御電極Ｘ３，Ｘ４の配列は、制御電極Ｘ１，Ｘ２の配列と異なるが、他の実施態様では、制御電極Ｘ３，Ｘ４の配列は、制御電極Ｘ１，Ｘ２の配列と同じであり得る。その上、１つよりも多くの液晶層を備えるパネルにおいて、液晶層の１つのための制御電極の形状及び配置は、図１Ａ、図２Ａ、図３、又は、図４の形状及び配列と同じであり得る。しかしながら、それはここでは限定されず、制御電極の形状及び配列は、如何なる他の適切な設計であってもよい。
【００２８】
さらに、本発明の制御電極及び液晶分子を閉じ込めるための封止フレームを組み合わせ得る。図６に示されるように、制御電極Ｘ３，Ｘ４は、封止フレームの２つの不連続的部分によって形成され得る。換言すれば、この実施態様における封止フレームは、導電性材料によって構築され得るし、この導電性封止フレームは、少なくとも２つの不連続的な部分に分割され、制御電極として働き得る。制御電極の電源がオンにされ、水平な電界を生成すると、液晶分子は以前の状態に強制的に戻され、液晶分子の応答時間を減少し得る。
【００２９】
パネル５００及び６００の構造及び動作方法は、パネル１００の構造及び動作方法と類似するので、当業者は前述の記載に従った動作方法を理解するはずであり、反復的な記載は重複的に与えられない。
【００３０】
本発明の制御電極の数は、前述の実施態様における数に限定されないことが付記されなければならない。制御電極の数は、Ｎであり得る。ここで、Ｎは、２以上であり、無限よりも小さい。さらに、液晶分子の数は、図面中に示される数に限定されず、実用的な要求に基づき決定され得る。また、制御電極の形状は、平面的であることに限定されず、長方形、三角形、円、楕円、又は、膜状のような、如何なる可能な形状でもあってもよい。加えて、制御電極及び電極層の材料、制御方法、及び、接触位置の処理は、設計者の裁量に基づき決定され得る。例えば、制御電極及び電極層の材料は、異なるインピーダンスを有し得るし、制御電極を電極層から絶縁するために、絶縁材料を制御電極と電極層との間の接触位置の上に配置し得る。適用において、前述の実施態様における各構成構造を組み合わせ得る。例えば、図２Ａの第一電極層１０２を図１Ａ、図３、又は、図４のパネル内に組み込み得る。その上、前述の電界の第一方向及び第二方向は、実質的に垂直又は水平に限定されない。第一方向の度（角度）及び第二方向の度（角度）は、１〜３６０度の間の如何なる所定角度であってもよく、第一方向の度及び第二方向の度は異なる。
【００３１】
当業者は、本発明の教示を維持しながら、装置及び方法に対する数多くの修正及び変更を行い得ることを容易に観察するであろう。従って、上記の開示は、付属の請求項の境界によってのみ制限されるものと解釈されるべきである。
【符号の説明】
【００３２】
１００    パネル
１０１    液晶層
１０２ａ  第一電極層
１０２ｂ  第二電極層
１０２ｃ  第三電極層
１０３ａ  ガラス基板
１０３ｂ  ガラス基板
１０３ｃ  ガラス基板
１０４    液晶層
２００    パネル
３００    パネル
４００    パネル
５００    パネル
６００    パネル
Ｌ        液晶分子
Ｘ１      制御電極
Ｘ２      制御電極
Ｘ３      制御電極
Ｘ４      制御電極
【図１Ａ】
2010271719.tif 000003
【図１Ｂ】
2010271719.tif 000004
【図１Ｃ】
2010271719.tif 000005
【図２Ａ】
2010271719.tif 000006
【図２Ｂ】
2010271719.tif 000007
【図３】
2010271719.tif 000008
【図４】
2010271719.tif 000009
【図５】
2010271719.tif 000010
【図６】
2010271719.tif 000011